(57)【特許請求の範囲】
【請求項１】
遊技球が打ち出される遊技盤に設けられ、通常よりも有利な特別遊技が行われる場合に開放される大入賞口と、
前記大入賞口に遊技球を入球可能な開状態と、前記大入賞口に遊技球の入球が不可能もしくは前記開状態よりも遊技球の入球が困難な閉状態とに変位する開閉部材と、
特定の移動位置に移動可能な可動体と、
前記可動体に設けられ、前記可動体が前記特定の移動位置に移動したときに所定の表示を実行可能な第１の表示手段と、
前記開閉部材が開状態に変位することに伴って所定の表示を実行可能な第２の表示手段と、を備え、
前記第１の表示手段は、前記大入賞口の位置を示唆し得る報知表示を実行可能であり、
前記第２の表示手段は、前記特定の移動位置に移動した前記可動体の前記第１の表示手段による前記報知表示に伴って所定の表示を実行可能であるとともに、前記特別遊技中における前記大入賞口への遊技球の入球に基づいた表示を実行可能であり、
前記開閉部材は、前記特定の移動位置に移動した前記可動体の前記第１の表示手段による前記報知表示に伴って前記開状態に変位することを特徴とする遊技機。
【発明の詳細な説明】
【技術分野】
【０００１】
本発明は、演出用の可動体及び発光表示装置を備えた遊技機に関するものである。
【背景技術】
【０００２】
この種の遊技機、例えばパチンコ遊技機においては、所定の始動条件の成立時に大当たりの抽選が行われ、この大当たりの抽選に当選すると、通常の遊技よりも有利な特別遊技が行われるように形成されている。そして、大当たりの当選を期待させる演出や、大当たりの当選や特別遊技の開始時を告知する演出などが行われるようになっている。これらの演出としては、遊技者の期待感を高揚させたり、遊技者を驚かせたりするために、種々の態様が考案されている。
例えば、特許文献１には、遊技盤の中央に設けられた図柄表示画面を斜めに跨ぐランプ表示部を設け、所定契機で可動役物（模型の日本刀）を作動（抜刀）させるとともに、ランプ表示部の発光表示と図柄表示画面に表示される画像とを連動させて、遊技盤の右上から左下、左上から右下に一直線状の表示がされる「Ｘ切り演出」が行われるようにしたパチンコ遊技機が開示されている。
また、特許文献２には、遊技盤に設けられたランプ表示部と、遊技盤の前面を覆う前枠に設けられたランプ表示部とを同時に発光表示させると、遊技盤と前枠とにわたり、放射状の発光表示がされるようにしたパチンコ遊技機が開示されている。
【先行技術文献】
【特許文献】
【０００３】
【特許文献１】特開２００４−２８３２４６号公報
【特許文献２】特開２００８−２５３６６８号公報
【発明の概要】
【発明が解決しようとする課題】
【０００４】
本願発明は、従来技術を踏まえた上で、入賞口が開放される場合の演出に着目し、今までないインパクトのある演出を実行可能な遊技機を提供することを目的とする。
【課題を解決するための手段】
【０００５】
上述した目的を達成するために、本発明は次のように構成されている。
本発明に係る遊技機（パチンコ機Ｐ）は、遊技球が打ち出される遊技盤１１０に設けられ、通常よりも有利な特別遊技が行われる場合に開放される大入賞口と、前記大入賞口に遊技球を入球可能な開状態と、前記大入賞口に遊技球の入球が不可能もしくは前記開状態よりも遊技球の入球が困難な閉状態とに変位する開閉部材（開閉羽根１８１）と、特定の移動位置に移動可能な可動体（上可動体２０）と、前記可動体に設けられ、前記可動体が前記特定の移動位置に移動したときに所定の表示（発光表示）を実行可能な第１の表示手段（可動体発光部７０）と、前記開閉部材が開状態に変位することに伴って所定の表示（発光表示）を実行可能な第２の表示手段（大入賞口発光部６０）と、を備えている。そして、前記第１の表示手段は、前記大入賞口の位置を示唆し得る報知表示を実行可能であり、前記第２の表示手段は、前記特定の移動位置に移動した前記可動体の前記第１の表示手段による前記報知表示に伴って所定の表示を実行可能であるとともに、前記特別遊技中における前記大入賞口への遊技球の入球に基づいた表示を実行可能であり、前記開閉部材は、前記特定の移動位置に移動した前記可動体の前記第１の表示手段による前記報知表示に伴って前記開状態に変位することを特徴とする。
【０００６】
本発明においては、遊技中の所定契機、例えば特別遊技の開始時に、開閉部材が開位置に移動したときには、可動体が特定の移動位置（例えば最大可動位置）に移動して、第１の表示手段により前記大入賞口の位置を示唆し得る報知表示が実行される。また、開閉部材が開位置に移動することに伴って、第２の表示手段により、第１の表示手段による前記報知表示に伴った表示が実行される。これにより、例えば特別遊技の開始時などに、可動体の作動と連動した発光表示による新たな演出態様を提供することができる。
【発明の効果】
【０００８】
本発明によれば、今までにないインパクトのある演出を実行可能な遊技機を提供することができる。
【図面の簡単な説明】
【０００９】
【図１】パチンコ機の外観斜視図である。
【図２】パチンコ機の前扉を開けた状態の外観斜視図である。
【図３】遊技盤及び演出役物装置及びセット板の分解斜視図である。
【図４】パチンコ機の遊技盤の正面概略図である。
【図５】初期状態における演出役物装置の正面図である。
【図６】（Ａ）縮んだ状態の上可動体の背面図、（Ｂ）（Ａ）のＢ−Ｂ線断面図、及び（Ｃ）伸びた状態の上可動体の背面図である。
【図７】演出役物装置の（Ａ）右側面図及び（Ｂ）部分背面図である。
【図８】下可動体の作動時の演出役物装置の正面図である。
【図９】上可動体の作動時の演出役物装置の正面図である。
【図１０】可動体発光部及び大入賞口発光部を発光表示させた遊技盤の正面概略図である。
【発明を実施するための形態】
【００１０】
以下、本発明の好適な実施の形態を、図面を参照しつつ説明する。
なお、本明細書において、パチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
【００１１】
（パチンコ機Ｐの外部構成）
本形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置Ｒから遊技球の貸し出しを受けることができるようになっている。
【００１２】
本形態に係るパチンコ機Ｐは、図１又は図２に示すように、島に固定される四角形状の枠体であって、中空部（特に図示しておらず）を有する機枠Ｆ１と、この機枠Ｆ１にヒンジ機構（特に図示しておらず）により開閉自在に取り付けられる四角形状の枠体であって、中空部（特に図示しておらず）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１３】
機枠Ｆ１の左下部には、図２に示すように、下スピーカＳＰ２が設けられている。また、本体枠Ｆ２の中空部には、透明なアクリル板からなる遊技盤１１０と、遊技盤１１０の後方に配置されるセット板１００が収容されている（図３参照）。なお、図２及び図３においては、遊技盤１１０の盤面の構成を省略している。セット板１００は、前後方向に貫通する開口部を有する箱形の部材であり、セット板１００の背面部には、パチンコ機Ｐの作動を制御する制御装置（特に図示しておらず）や、画像を表示するための液晶表示装置２００が取り付けられるとともに、セット板１００の正面側の開口部内には、遊技に伴う演出を行うための演出役物装置１が配置されている。この演出役物装置１の詳細については後述する。
【００１４】
また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、透明板４００の左右上方にそれぞれ１個ずつ取り付けられた上スピーカＳＰ１と、が設けられている。また、前扉Ｄの外周には、種々の色や発光パターンで発光することにより演出を行う演出ランプ２３０が設けられている。なお、この演出ランプ２３０は、特に図示していないが、複数色の発光が可能なＬＥＤにより構成されている。
【００１５】
そして、パチンコ機Ｐでは、機枠Ｆ１に対して本体枠Ｆ２を閉じ、さらに、前扉Ｄを閉じると、遊技盤１１０の前方に透明板４００が位置することとなる。これにより、透明板４００を介して、後方に位置する遊技盤１１０を視認することができるとともに、遊技盤１１０のさらに後方に位置する演出役物装置１および液晶表示装置２００の表示画面２１０を、透明な遊技盤１１０越しに視認することができるようになっている。
【００１６】
また、上皿６００には、遊技球貸出装置により貸し出される遊技球や、パチンコ機Ｐから払い出される賞球が導かれるようになっている。上皿６００は、所定量の遊技球を受容可能となっているが、この上皿６００が遊技球で一杯になると、その後に貸し出されたり、払い出されたりする遊技球は受皿７００に導かれるようになっている。また、受皿７００の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８００（図１参照）を横方向に移動させることで、開閉板も同方向に移動し、排出孔が開放される。これにより、遊技球を排出孔から落下させて、受皿７００の外に排出することができるようになっている。
【００１７】
前記操作ハンドル５００は、遊技球を打ち出すためのものであり、遊技者が回転操作可能に形成されている。ここで、上皿６００は、図示しない遊技球の発射装置に遊技球を供給する供給通路（図示せず）を備えており、上皿６００の遊技球が供給通路から発射装置に供給された状態で遊技者が操作ハンドル５００を回転させて発射操作を行うと、当該操作ハンドル５００の回転角度に応じた強度で、図示しない発射機構によって遊技球が発射される。
【００１８】
遊技盤１１０の盤面には、図３及び図４に示すように、金属製の外レールＲ１及び内レールＲ２からなるガイドレールＲが設けられている。そしてこのガイドレールＲによって略円形状に仕切られた領域が、遊技領域１２０を形成する。また、遊技領域１２０の左側方の領域において、外レールＲ１と内レールＲ２との間には、遊技球の発射通路が形成されており、発射機構から発射された遊技球は、発射強度が十分な場合に発射通路内を外レールＲ１に沿って上り、遊技領域１２０の左上部から遊技領域１２０内に放出される。
【００１９】
遊技領域１２０は、図４に示すように、パチンコ機Ｐに対向する遊技者から見て左側の領域である第１遊技領域１２１と、パチンコ機Ｐに対向する遊技者から見て右側の領域である第２遊技領域１２２とから構成されている。これら２つの遊技領域１２０は、発射装置の発射強度により、遊技球の進入可能性が異なるようになっている。具体的には、発射装置の発射強度が所定の強度未満（発射装置により発射される遊技球が遊技領域１２０の最高地点に到達しない程度の強度）の場合には、遊技球は第１遊技領域１２１に進入する。これに対して、発射装置の発射強度が所定の強度以上（発射装置により発射される遊技球が遊技領域１２０の最高地点に到達可能な強度）の場合には、遊技球は第２遊技領域１２１に進入する。
【００２０】
また、この遊技領域１２０内には、図４に示すように、遊技球の流下方向を不規則にするための風車及び多数の釘と、遊技球が通過可能なゲート１３０と、遊技球が入球可能な一般入賞口１４０と、始動領域としての第１始動入賞口１５０及び第２始動入賞口１６０と、所定条件を満たすことで作動するアタッカー装置１７０と、遊技球を遊技領域１２０外へ導くアウト口１９０と、が設けられている。また、遊技領域１２０の中央部には、セット板１００に固定された液晶表示装置２００の表示画面２１０が位置しており、透明な遊技盤１１０を透して表示画面２１０を視認可能となっている。
【００２１】
一般入賞口１４０は、遊技領域１２０の下方に複数個設けられている。一般入賞口１４０の設置個数及び設置位置は図示した態様に限られない。一般入賞口１４０へ遊技球が入球すると、所定個数の賞球が払い出される。
第１始動入賞口１５０は、遊技領域１２０の中央下部に設けられている。本実施の形態では、第１始動入賞口１５０へは、第１遊技領域１２１を流下する遊技球を受け入れ可能であり、第２遊技領域１２２を流下する遊技球は、第１始動入賞口１５０へは入球できないようになっている。
【００２２】
また、第２始動入賞口１６０は、ゲート１３０の下方に設けられている。第２始動入賞口１６０には、図４に示すように、左右に開閉可能な可動片１６１が一対設けられており、可動片１６１が閉じているときには第２始動入賞口１６０は遊技球を受け入れることができないようになっている。一方、可動片１６１が開くと、開いた状態の可動片１６１が第２遊技領域１２２を流下する遊技球を第２始動入賞口１６０へ向けて案内するガイド部材として機能することにより、第２始動入賞口１６０への遊技球の入球が容易となる。
なお、可動片１６１の構成は特に限定されるものではなく、たとえば、遊技盤１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２３】
第１始動入賞口１５０又は第２始動入賞口１６０へ遊技球が入球すると、所定個数の賞球が払い出されるとともに、大入賞口１８０が開放される特別遊技を実行するか否かの大当たりの抽選が行われる。また、特別遊技には、大入賞口１８０の開放回数や開放時間、特別遊技終了後に移行する遊技状態の違いなどがそれぞれ異なる複数種類が設けられており、いずれの特別遊技を実行させるかは、各特別遊技に対応付けられた複数種類の特別図柄の中から一の特別図柄を決定する特別図柄の抽選により決定される。
【００２４】
ここで、図４に示すように、遊技盤１１の右下部であって、かつ、遊技領域１２０の外側には、遊技についての種々の状況を表示するための装置として、第１特別図柄表示装置３００、第２特別図柄表示装置３１０、普通図柄表示装置３２０、第１特図保留表示装置３３０、第２特図保留表示装置３４０、及び普通図柄保留表示装置３５０が設けられている。
そして、第１始動入賞口１５０へ遊技球が入球すると、第１特別図柄表示装置３００において、所定時間にわたり特別図柄の変動表示が行われ、第２始動入賞口１６０へ遊技球が入球すると、第２特別図柄表示装置３１０において、所定時間にわたり特別図柄の変動表示が行われる。また、この間、液晶表示装置２００の表示画面２１０では所定の変動演出が行われる。そして、所定時間の経過後、第１特別図柄表示装置３００又は第２特別図柄表示装置３１０の変動表示が停止し、大当たり抽選の結果を示す特別図柄が停止表示される。所定の特別遊技が当選している場合には当該特別遊技に対応付けられた特別図柄が停止表示され、ハズレの場合にはハズレに対応付けられた所定の図柄が停止表示される。液晶表示装置２００においても図柄変動を停止させて、抽選結果に応じた図柄を停止表示させる。特別遊技に対応付けられた特別図柄が停止表示された場合には、特別遊技が開始される。
【００２５】
またここで、第１特別図柄表示装置３００又は第２特別図柄表示装置３１０において特別図柄の変動表示が行われている最中、又は特別遊技の実行中に、第１始動入賞口１５０又は第２始動入賞口１６０に遊技球が入球した場合には、その旨が記憶（保留）され、第１始動入賞口１５０への遊技球の入球に基づく記憶数（保留数）は第１特図保留表示装置３３０に、第２始動入賞口１６０への遊技球の入球に基づく保留数は第２特図保留表示装置３４０に、それぞれ表示される。例えば点灯するランプの数により、保留数が報知される。そして、特別図柄の変動表示が終了し又は特別遊技が終了した場合には、保留に基づいて大当たりの抽選及び特別図柄の抽選が行われる。保留は最大４個まですることができ、保留に基づいて大当たりの抽選及び特別図柄の抽選が行われると保留数が減じられ、それに伴い第１特図保留表示装置３３０、第２特図保留表示装置３４０の表示も減じられる。
【００２６】
ゲート１３０は、図４に示すように、第２遊技領域１２２の上方に設けられている。このゲート１３０を遊技球が通過すると、上述の第２始動入賞口１６０に設けられた可動片１６１を開状態にさせて第２始動入賞口１６０を開放させるか否かの抽選が行われる。この抽選は、第２始動入賞口１６０の開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０が開放されるようになっている。
【００２７】
また、ゲート１３０を遊技球が通過すると、図４に示す普通図柄表示装置３２０において、所定時間にわたり、普通図柄の変動表示が行われる。そして、変動時間の経過後、普通図柄表示装置３２０の変動表示が停止し、普通図柄の抽選の結果を示す普通図柄が停止表示される。すなわち、当たりの場合には当該当たりに対応付けられた普通図柄が停止表示され、ハズレの場合にはハズレに対応付けられた所定の図柄が停止表示される。当たりに対応付けられた普通図柄が停止表示されると、第２始動入賞口１６０が開放される。第２始動入賞口１６０が開放されている場合には、より多くの遊技球を第２始動入賞口１６０へ入球させることができ、大当たりの抽選を受ける機会が増え、第２始動入賞口１６０が開放されていない場合よりも有利な状態とすることができる。
【００２８】
ここで、普通図柄表示装置３２０において普通図柄の変動表示が行われている最中に、ゲート１３０を遊技球が通過した場合には、上記と同様に最大４個まで保留され、普通図柄保留表示装置３５０に保留数が表示される。そして、普通図柄の変動表示が終了した場合には、保留に基づいて普通図柄の抽選が行われ、保留数が減じられるとともに普通図柄保留表示装置３５０の表示が減じられる。
【００２９】
アタッカー装置１７０は、図４に示すように、第２遊技領域１２２の右下方に設けられている。このアタッカー装置１７０は、遊技球が入球可能な大入賞口１８０と、この大入賞口１８０を開閉する開閉羽根１８１と、大入賞口１８０の近傍を流下する遊技球の流下を妨げない開放位置、及び大入賞口１８０の近傍を流下する遊技球を大入賞口１８０へと誘導する誘導位置（図１０参照）に変位可能な誘導羽根１８２とを備えている。常態においては、開閉羽根１８１が閉状態となって大入賞口１８０は閉鎖されているとともに、誘導羽根１８２が開放位置となっているため、大入賞口１８０の近傍では遊技球はそのまま流下し、大入賞口１８０への遊技球の入球は不可能となっている。一方、上述の特別遊技が実行されると、開閉羽根１８１が開状態（図１０参照）に変位するとともに、誘導羽根１８２が誘導位置に変位して、誘導羽根１８２及び開閉羽根１８１が遊技球を大入賞口１８０へ導く受皿部材として機能することにより、大入賞口１８０への遊技球の入球が可能となる。また、当該大入賞口１８０へ遊技球が入球すると、所定個数の賞球が払い出される。
【００３０】
アウト口１９０は、図４に示すように、遊技領域１２０の最下部に設けられており、一般入賞口１４０、第１始動入賞口１５０、第２始動入賞口１６０及び大入賞口１８０のいずれにも入球しなかった遊技球を受け入れるものである。そして、アウト口１９０に受け入れられた遊技球は、遊技盤１１０の背面側に導かれ回収される。
なお、一般入賞口１４０、第１始動入賞口１５０、第２始動入賞口１６０及び大入賞口１８０に入球した遊技球も、遊技盤１１０の背面側に導かれ回収される。
【００３１】
液晶表示装置２００の表示画面２１０は、図４に示すように、遊技領域１２０の略中央に配置されるものとなっており、表示画面２１０には、背景画像が表示されるほか、所定の演出態様の一部として、演出図柄（ダミー図柄）が変動表示されるようになっている。そして、各演出図柄の停止表示態様により、特別図柄の抽選や普通図柄の抽選の結果が遊技者に報知されることとなる。
なお、遊技盤１１０の盤面において、大入賞口１８０の近傍には、基板面に複数のＬＥＤ（図示せず）が搭載された大入賞口発光部６０（図４参照）が設けられている。大入賞口発光部６０は、大入賞口１８０に遊技球が入球した場合に、発光表示によってその旨を報知するためのものである。また、本実施の形態では、上記以外にも、大入賞口発光部６０の発光表示が、以下に述べる演出役物装置１の作動と連動して行われる場合があるようになっているが、これについては後述する。
【００３２】
（演出役物装置１）
次に、演出役物装置１の構造について詳述する。
演出役物装置１は、図３及び図５示すように、大きく分けて、上可動体２０と、下可動体３０と、上可動体２０を昇降移動させるための上可動体昇降機構４０と、下可動体３０を昇降移動させるための下可動体昇降機構５０と、上可動体２０、下可動体３０、上可動体昇降機構４０及び下可動体昇降機構５０を支持固定するベース部材１０とから構成されている。
【００３３】
（ベース部材１０）
ベース部材１０は、図３に示すように、演出役物装置１の左右側に位置する薄板状の部材であり、右側に位置する右ベース板１０Ｒと、左側に位置する左ベース板１０Ｌとから構成されている。
左ベース板１０Ｌの上端付近には、上可動体２０を上下方向に揺動可能に軸止する支持軸１１が設けられているとともに、右ベース板１０Ｒ及び左ベース板１０Ｌの正面には、図３及び図５に示すように、それぞれ、前方に突出する中固定部１２及び表下固定部１３が設けられている。中固定部１２及び表下固定部１３は、下可動体昇降機構５０を取り付けるための箱体である。また、右ベース板１０Ｒの背面には、図３及び図７に示すように、後方に突出する裏上固定部１４及び裏下固定部１５が設けられている。裏上固定部１４及び裏下固定部１５は、上可動体昇降機構４０を取り付けるための箱体である。
【００３４】
右ベース板１０Ｒ及び左ベース板１０Ｌの間には、下可動体３０が上下方向にスライド可能に取り付けられ、左ベース板１０Ｌの支持軸１１には上可動体２０の左端部が揺動可能に軸支され、上可動体２０の右端部は右ベース板１０Ｒに上下方向にスライド可能に支持される。そして、ベース部材１０は、上可動体２０、下可動体３０、上可動体昇降機構４０及び下可動体昇降機構５０を取り付けた状態で、セット板１００に固定される。
なお、図示した例では、左ベース板１０Ｌが単一の板部材となっているが、左ベース板１０Ｌが、上可動体２０を支持する部分と、下可動体３０支持する部分とに分割された構造としてもよい。この場合には、左ベース板１０Ｌの無駄な部分を省くことができるので、演出役物装置１をより軽量化することができる。
【００３５】
（上可動体２０）
上可動体２０は、図５に示すように、正面視すると剣の形をした板状の部材であり、剣の刃の部分に該当する第１部材２１と、剣の柄の部分に該当する第２部材２２と、から構成されている。
ここで、第１部材２１は、図６（Ｂ）に示すように、表板２１１と裏板２１２とから構成されており、第２部材２２も同様に、表板２２１と裏板２２２とから構成されている。そして、第１部材２１の表板２１１と裏板２１２の間に生じた隙間２１３に第２部材２２の裏板２２２が挿入されるとともに、第２部材２２の表板２２１と裏板２２２の間に生じた隙間２２３に第１部材２１の表板２１１が挿入されて、第１部材２１と第２部材２２とが合体して上可動体２０を構成している。
【００３６】
また、図６（Ａ）に示すように、第２部材２２の裏板２２２の背面には、円柱状のボス２２Ｂが２つ形成されているとともに、第１部材２１の裏板２１２には、前記ボス２２Ｂを嵌入可能な長さ方向の長孔２１Ｂが２つ形成されている。そして、図６（Ｃ）に示すように、長孔２１Ｂの長さの範囲内で第１部材２１と第２部材２２の長さ方向の位置関係が変動し、上可動体２０の全体の長さが伸縮するように形成されている。
また、第１部材２１の剣先側（図５における右側、図６における左側）の端部には、ピン２３を介して、後述する上可動体昇降機構４０のスライド部材４６を連結するためのピン孔２１Ａ（図６参照）が設けられており、第２部材２２の柄本側（図５における左側、図６における右側）の端部近傍には、左ベース板１０Ｌの支持軸１１を挿通可能な軸孔２２Ａ（図６参照）が設けられている。
【００３７】
さらに、第１部材２１の正面には、図５に示すように、第１部材２１の長さ方向に長い可動体発光部７０が、幅方向に２つ並んで設けられている。各可動体発光部７０は、基板面に複数のＬＥＤ（図示せず）が搭載されたものであり、上可動体２０が作動する場合に発光表示されるものである。
なお、図示した例では、第１部材２１の正面に可動体発光部７０を設けているが、第１部材２１の表板２１１を二重構造にして、表面側の板が中央から幅方向（図５における上下方向）に分割されるように形成し、表面側の板の下側に可動体発光部７０を設けてもよい。そして、第１部材２１が分割されたときに可動体発光部７０を発光表示させるようにしてもよい。
【００３８】
上可動体２０は、軸孔２２Ａに支持軸１１を挿通させてその左側（剣の柄側）が左ベース板１０Ｌの上端部に揺動可能に支持されるとともに、その右側（剣の刃先側）には、ピン孔２１Ａ及びスライド部材４６に設けられたピン孔４６Ａ（図７(Ｂ)参照）にピン２３を挿通させてスライド部材４６が取り付けられる。上可動体２０は、スライド部材４６に対しても上下方向に揺動可能となる。そして、上可動体昇降機構４０のガイドシャフト４５に沿ってスライド部材４６が上下方向に移動することにより上可動体２０の右側が昇降移動し、上可動体２０が、図５に示す水平位置と、図９に示す傾斜位置との間で変位するものとなる。
【００３９】
（下可動体３０）
下可動体３０は、図５に示すように、中央部に位置する円板状の装飾板３１と、装飾板３１から左右に伸びるアーム部３２，３２と、から構成されている。
装飾板３１の正面には、装飾部材が装着されている。装飾部材は、内部に設けられた発光体（ＬＥＤなど）の点灯により発光表示されるようにしてもよい。また、装飾板３１は、前後方向の回転軸を中心に回転するように形成されていてもよい。
アーム部３２，３２の端部には、後述する下可動体昇降機構５０のスライド部材５６，５６が固定される。そして、下可動体昇降機構５０のガイドシャフト５５に沿ってスライド部材５６，５６が上下方向に移動することにより下可動体３０が昇降移動し、下可動体３０が、図５に示す下方位置と、図８に示す上方位置との間で変位するものとなる。
【００４０】
（上可動体昇降機構４０）
上可動体昇降機構４０は、図５及び図７に示すように、右ベース板１０Ｒの裏上固定部１４の正面に設けられた駆動モータ４１と、裏上固定部１４及び裏下固定部１５のそれぞれに内蔵されたベルト車４２，４２と、ベルト車４２，４２に掛け渡されたベルト４４と、裏上固定部１４に内蔵されたベルト車４２と駆動モータ４１とを連結する連結ギア４３と、裏上固定部１４と裏下固定部１５との間に取り付けられた一対のガイドシャフト４５，４５と、ガイドシャフト４５，４５に沿って上下動可能なスライド部材４６と、を備えている。
【００４１】
駆動モータ４１は、ベルト車４２を回転させるためのステッピングモータであり、連結ギア４３は、駆動モータ４１の駆動軸の回転をベルト車４２に伝達するためのものである。ベルト車４２，４２はそれぞれ、前後方向に設けられた支持軸を中心に回転可能に取り付けられている。ベルト４４は、平ベルトでもＶベルトでもよい（下可動体昇降機構５０のベルト５５において同じ）。また、ベルト４４の一カ所は、スライド部材４６に設けられたベルト固定部４６Ｂ（図７(Ｂ)参照）に固定されている。スライド部材４６には、ガイドシャフト４５，４５及びベルト４４を貫通させる縦穴が設けられている。そして、ベルト車４２が回転することにより掛け渡されたベルト４４が循環移動し、ベルト４４を固定したスライド部材４６がガイドシャフト４５，４５に沿って上下方向に移動するようになっている。
【００４２】
ここで、図５及び図７（Ａ）に示すように、右ベース板１０Ｒの正面側上端部には、スライド部材４６が裏上固定部１４の直下となる最上位置にあるとき、スライド部材４６を移動不能にロックするロック機構４７が設けられている。ロック機構４７は、特に図示していないが、ソレノイドの作動により位置移動する係止部（例えば出没ピンや回動フック）を備えており、スライド部材４６が最上位置にあるときには、前記係止部がスライド部材４６に設けられた被係止部（例えば孔や突起）と係合して、スライド部材４６の下方向への移動を阻止している。そして、ソレノイドが作動すると係止部と被係止部の係合が解除されて、スライド部材４６が下方向に移動可能となる。
【００４３】
（上可動体２０の作動）
上記構成を有する上可動体昇降機構４０による上可動体２０の作動について説明する。
まず、初期状態においては、図５に示すように、上可動体２０は水平位置にある。このとき、スライド部材４６はロック機構４７によって最上位置にロックされている。
なお、裏上固定部１４には、特に図示していないが、最上位置にあるスライド部材４６を検知する上センサが設けられており、初期状態では、この上センサが検知状態となっている。
【００４４】
そして、所定の契機でロック機構４７のソレノイドが作動しロックが解除されると、スライド部材４６は、スライド部材４６及び上可動体２０の自重によって、ガイドシャフト４５，４５に沿って下方向に移動（落下）する。このとき、上述の上センサは非検知状態となる。スライド部材４６の落下に伴い、上可動体２０の右側が下降する。この際、上可動体２０は支持軸１１を中心に正面視時計回りの方向に回動するが、スライド部材４６が下方に移動するにつれ、支持軸１１とピン２３との距離が広がるので、第１部材２１がスライド部材４６に引っ張られて、上可動体２０は長さ方向に伸びながら回動する。
ここで、図５及び図７（Ｂ）に示すように、裏下固定部１５の上端部には、上面にゴムなどの弾性部材を装着したストッパ１６が設けられている。そして、降下したスライド部材４６の下面がストッパ１６に当接することにより、スライド部材４６は裏下固定部１５の直上となる最下位置で停止するとともに、上可動体２０が図９に示す傾斜位置で停止する。
【００４５】
なお、スライド部材４６が落下する際、ベルト固定部４６Ｂに固定されているベルト４４が下方に引っ張られてベルト車４２，４２が回転し、これによって駆動モータ４１の駆動軸が回転すると、駆動モータ４１の消耗を早めるおそれがある。また、駆動停止している駆動モータ４１の駆動軸がロックされている（回転力を与えても回転しない）場合には、スライド部材４６の落下を妨げるおそれがある。そこで、例えば、ワンウエイクラッチ等を用いて、ベルト車４２がスライド部材４６を落下させる方向（図７(Ｂ)に示す時計回り方向）に回転する場合には、連結ギア４３がベルト車４２の回転を駆動モータ４１の駆動軸に伝達しないような構造にしておくと好ましい。あるいは、スライド部材４６が落下する際には、ベルト固定部４６Ｂとベルト４４の固定が解除されるようにしてもよい。
【００４６】
さて、傾斜位置にある上可動体２０を水平位置に戻す場合には、駆動モータ４１を駆動させて、裏上固定部１４に内蔵されたベルト車４２を、スライド部材４６を上方に移動させる方向（図７(Ｂ)に示す反時計回り方向）に回転させる。ベルト車４２の回転に伴うベルト４４の循環移動によって、スライド部材４６がガイドシャフト４５，４５に沿って上方に移動する。これにより、上可動体２０の右側が上昇する。この際、上可動体２０は支持軸１１を中心に正面視反時計回りの方向に回動するが、スライド部材４６が上方に移動するにつれ、支持軸１１とピン２３との距離が狭まるので、第１部材２１がスライド部材４６に押されて、上可動体２０は長さ方向に縮みながら回動する。
【００４７】
スライド部材４６が初期状態の位置（初期位置＝最上位置）まで移動すると、上可動体２０は水平位置になり、上センサがスライド部材４６を検知する。上センサが非検知状態から検知状態になると、駆動モータ４１が駆動を停止する。また、スライド部材４６が最上位置に移動すると、ロック機構４７が自動的にロック状態となり、スライド部材４６の下方への移動を阻止する。このようにして、上可動体２０は水平位置で固定される。
【００４８】
（下可動体昇降機構５０）
下可動体昇降機構５０は、図５に示すように、右ベース板１０Ｒに設けられた下可動体昇降機構５０Ｒと、左ベース板１０Ｌに設けられた下可動体昇降機構５０Ｌとから構成される。右側の下可動体昇降機構５０Ｒと左側の下可動体昇降機構５０Ｌは同一の機構的構成を備えている。以下の説明において、単に下可動体昇降機構５０というときは、左右の下可動体昇降機構５０Ｌ、５０Ｒを含むものとする。
下可動体昇降機構５０は、図５及び図７に示すように、ベース部材１０の表下固定部１３の裏面に設けられた駆動モータ５１と、中固定部１２及び表下固定部１３のそれぞれに内蔵されたベルト車５２，５２と、ベルト車５２，５２に掛け渡されたベルト５４と、表下固定部１３に内蔵されたベルト車５２と駆動モータ５１とを連結する連結ギア５３と、中固定部１２と表下固定部１３との間に取り付けられた一対のガイドシャフト５５，５５と、ガイドシャフト５５，５５に沿って上下動可能なスライド部材５６とを備えている。
【００４９】
駆動モータ５１は、ベルト車５２を回転させるためのステッピングモータであり、連結ギア５３は、駆動モータ５１の駆動軸の回転をベルト車５２に伝達するためのものである。ベルト車５２，５２はそれぞれ、前後方向に設けられた支持軸を中心に回転可能に取り付けられている。また、ベルト５４の一カ所は、スライド部材５６に設けられたベルト固定部５６Ａ（図５参照）に固定されている。スライド部材５６には、ガイドシャフト５５，５５及びベルト５４を貫通させる縦穴が設けられている。そして、ベルト車５２が回転することにより掛け渡されたベルト５４が循環移動し、ベルト５４を固定したスライド部材５６がガイドシャフト５５，５５に沿って上下方向に移動するようになっている。
【００５０】
（下可動体３０の作動）
上記構成を有する下可動体昇降機構５０による下可動体３０の作動について説明する。
まず、初期状態においては、図５に示すように、下可動体３０は下方位置にある。このとき、スライド部材５６は表下固定部１３の直上に位置する最下位置にある。
ここで、表下固定部１３には、特に図示していないが、最下位置にあるスライド部材５６を検知する下センサが設けられており、初期状態では、この下センサが検知状態となっている。
【００５１】
そして、下方位置にある下可動体３０を上方位置に移動させる場合には、左右の駆動モータ５１（下可動体駆動機構５０Ｌの駆動モータ５１と下可動体昇降機構５０Ｒの駆動モータ５１のこと。以下同様）を同時に駆動させて、表下固定部１３に内蔵されたベルト車５２を、スライド部材５６を上昇させる方向（図５に示す反時計回り方向）に回転させる。ベルト車５２の回転に伴うベルト５４の循環移動によって、スライド部材５６がガイドシャフト５５，５５に沿って上方向に移動する。このとき、上述の下センサは非検知状態となる。左右のスライド部材５６の上方向への移動に伴い、下可動体３０が上昇する。そして、駆動モータ５１は、下可動体３０が図８に示す上方位置まで上昇することとなる所定ステップ数だけ駆動すると、駆動を停止する。駆動モータ５１が駆動を停止すると、駆動軸がロックされて連結ギア５３及びベルト車５２の回転が阻止され、ベルト５４の循環移動が停止する。これにより、左右のスライド部材５６が中固定部１２の直下に位置する最上位置となり、下可動体３０は上方位置で停止する。
【００５２】
なお、駆動モータ５１を、前記した所定ステップ数よりも少ないステップ数だけ駆動させて、下可動体３０を上方位置よりも下側の位置で停止させるようにすることもできる。また、中固定部１２に、上方位置にあるスライド部材５６を検知するセンサを設け、下可動体３０が上昇してスライド部材５６が前記センサに検知された場合に、駆動モータ５１の駆動を停止させるようにしてもよい。
【００５３】
上方位置にある下可動体３０を下方位置に戻す場合には、左右の駆動モータ５１を同時に逆転駆動させて、表下固定部１３に内蔵されたベルト車５２を、スライド部材５６を下方向に移動させる方向（図５に示す時計回り方向）に回転させる。ベルト車５２の回転に伴うベルト５４の循環移動によって、スライド部材５６がガイドシャフト５５，５５に沿って下方向に移動して、下可動体３０が下降する。下可動体下センサが最下位置まで移動したスライド部材５６を検知すると、駆動モータ５１が駆動を停止する。こうして、下可動体３０は下方位置に戻る。
【００５４】
本実施の形態では、下可動体３０の左右両端部をスライド部材５６で支持しているので、安定した昇降移動を行わせることができる。
なお、スライド部材５６を上方位置に係止するためのロック機構を設けてもよい。また、スライド部材５６が最上位置にあるとき（下可動体３０が上方位置にあるとき）に駆動モータ５１を駆動停止させた場合には、スライド部材５６がスライド部材５６及び下可動体３０の自重によって、ガイドシャフト５５，５５に沿って落下するようにしてもよい。
【００５５】
（演出役物装置１の作動）
演出役物装置１は、遊技状態に応じて、上可動体２０、下可動体３０のいずれか一方が作動するようになっている。これは、本実施の形態では、演出役物装置１の前後方向の厚さをできるだけ薄くするため、図７（Ａ）に示すように、上可動体２０と下可動体３０を同一平面上に配置した関係上、上可動体２０が傾斜位置（図９参照）、下可動体３０が上方位置に同時に移動すると、上可動体２０と下可動体３０とが衝突してしまうことによる。
【００５６】
本実施の形態では、上可動体２０は、特別遊技の開始時、すなわち大入賞口１８０が最初に開放される場合に、水平位置から傾斜位置に変位するようになっている。具体的には、パチンコ機Ｐの制御装置（図示しておらず）が、特別遊技が開始される場合に、上可動体昇降機構４０のロック機構４７を作動させる。これに基づきスライド部材４６が落下して上可動体２０の右側が下降して傾斜位置に移動する。上可動体２０が傾斜位置に移動すると、図１０に示すように、第１部材２１（剣の刃の部分）と第２部材２２（剣の柄の部分）の一部が、液晶表示装置２００の表示画面２１０を斜めに横切る位置となる。その後、所定のタイミング、例えば所定時間の経過後に、駆動モータ４１を駆動させてスライド部材４６を上方向に移動させ、上可動体２０を上昇させて水平位置に戻す。
【００５７】
また、下可動体３０は、上可動体２０の作動時以外のタイミングで、下方位置から上方位置に移動するようになっている。具体的には、パチンコ機Ｐの制御装置は、大当たりの抽選に当選した場合や、遊技中の所定契機で行う演出抽選に当選した場合などに、下可動体昇降機構５０の駆動モータ５１を駆動させる。これに基づきスライド部材５６が上方向に移動して下可動体３０が上昇し上方位置に移動する。下可動体３０が上方位置に移動すると、図４において二点鎖線で示すように、装飾板３１が液晶表示装置２００の表示画面２１０の略中央部に位置するものとなる。その後、所定のタイミング、例えば所定時間の経過後に、駆動モータ５１を逆転駆動させて、下可動体３０を下方位置に戻す。上述したように、下可動体３０を上方位置に至る前の途中の高さ位置で、下可動体３０を停止させるような作動パターンを設けてもよい。
【００５８】
なお、遊技盤１１０の後方に十分なスペースを確保できる場合には、上可動体２０と下可動体３０を前後方向にずらして配置し、上可動体２０と下可動体３０が相互に干渉しないようにしてもよい。この場合には、上可動体２０と下可動体３０を同時に作動させることができるものとなる。
また、上可動体２０の可動域と、下可動体３０の可動域が重ならない構造とした場合には、各可動体の移動範囲が制限されてしまうものの、上可動体２０と下可動体３０を同時に作動させることができるものとなる。
さらに、上述した実施の形態では、スライド部材４６、スライド部材５６を上下動させるためにベルト４４、ベルト４５を用いていたが、スライド部材５６を上下動させる機構として、チェーンとチェーンスプロケットや、ラックギア構造を用いてもよい。
【００５９】
（大入賞口発光部６０及び可動体発光部７０の発光表示）
本実施の形態では、大当たりに当選して上可動体２０が作動する場合には、大入賞口発光部６０及び可動体発光部７０のＬＥＤが点灯して、一体的な発光表示演出である特別遊技役物連動演出が行われるようになっている。具体的には、パチンコ機Ｐの制御装置は、上可動体２０が傾斜位置に移動したタイミングで、可動体発光部７０のＬＥＤを点灯させるとともに、大入賞口発光部６０のＬＥＤを点灯させる。可動体発光部７０のＬＥＤが点灯されると、図１０に示すように、上可動体２０の第１部材２１（剣の刃の部分）が発光し、遊技盤１１０（液晶表示装置２００の表示画面２１０）の左上から右下にかけて、直線状の発光領域Ｘが表示される。また、大入賞口発光部６０のＬＥＤが点灯されると、大入賞口１８０を開いた位置にある開閉羽根１８１と、遊技球を大入賞口１８０へと誘導する誘導位置にある誘導羽根１８２の近傍に、短い右下がりの直線状の発光領域Ｙが表示される。
【００６０】
ここで、大入賞口発光部６０は、図１０に示すように、遊技盤１１０の盤面において、傾斜位置にある上可動体２０の可動体発光部７０の延長線上に位置しているとともに、傾斜位置となった上可動体２０の傾斜角度とほぼ同じ角度で傾斜して設けられている。これにより、大入賞口発光部６０による発光領域Ｙは、可動体発光部７０による発光領域Ｘの延長線上に表示されるものとなり、傾斜位置となった上可動体２０の先端（剣先の部分）が、大入賞口１８０の位置を指し示しているように見えるものとなる。
なお、大入賞口発光部６０は、図示するように、傾斜位置に移動した上可動体２０の可動体発光部７０の発光表示の延長線の直上に配置されていなくてもよく、正面視したとき、発光領域Ｘと発光領域Ｙがほぼ一直線に見えるような一体的な演出が実行されていることを確認できる位置に設置されていればよい。
【００６１】
さらに、図１０に示すように、開状態の開閉羽根１８１と誘導位置にある誘導羽根１８２とが、ほぼ一直線上に並ぶように配置されているとともに、その一直線の傾斜角度が、傾斜位置となった上可動体２０の傾斜角度（つまり可動体発光部７０による発光領域Ｘの傾斜角度）とほぼ同じ角度となるように設定されている。すなわち、開閉羽根１８１が開状態となり誘導羽根１８２が誘導位置に移動すると、可動体発光部７０による直線状の発光表示の延長線に沿った姿勢となる。これにより、大入賞口１８０の位置をより明確に示唆することができる。
また、可動体発光部７０の複数のＬＥＤを順次点滅させて、発光部分が大入賞口１８０に向かって流れるような点灯パターンとし、大入賞口発光部６０もその点灯パターンと連動する点灯パターンとなるように形成すれば、より効果的に大入賞口１８０の位置を明確に示唆することができる。
なお、既述したように、大入賞口発光部６０は、特別遊技中に大入賞口１８０に遊技球が入球した場合には、上可動体２０が作動していなくても発光表示される。
【００６２】
（まとめ）
以上のように、本実施の形態における演出役物装置１は、左端部が軸止され右端部が昇降移動することにより揺動する上可動体２０及び全体が昇降移動する下可動体３０を支持するベース部材１０のうち、右側に位置する右ベース板１０Ｒの正面側に下可動体昇降機構５０を設けるとともに、背面側に上可動体昇降機構４０を設けている。また、左側に位置する左ベース板１０Ｌの正面側には、下可動体昇降機構５０Ｌを設けるとともに、上可動体２０を軸止する支持軸１１を設けている。すなわち、右ベース板１０Ｒ及び左ベース板１０Ｌは、上可動体２０及び下可動体３０の双方を支持する共通支持部として機能している。このように、単一のベース部材１０を複数の可動体で共有することにより、部品点数を削減できるとともに前後方向の厚さを極力薄くすることができ、演出役物装置１全体の軽量化及びコンパクト化を図ることができる。また、上可動体昇降機構４０と下可動体昇降機構５０Ｒを右ベース板１０Ｒの正面と背面に設けてあるので、上可動体２０と下可動体３０の可動域を広くすることができ、狭いスペースを有効利用して演出効果を上げることができる。
【００６３】
また、本実施の形態においては、傾斜位置（移動位置）となった上可動体２０の傾斜角度と、大入賞口発光部６０の傾斜角度、及び開状態の開閉羽根１８１と誘導位置に移動した誘導羽根１８２の傾斜角度をほぼ同一にして、アタッカー装置１７０の大入賞口１８０が開放される特別遊技の開始時に上可動体２０を傾斜位置に移動させるとともに、傾斜位置に移動した上可動体２０の可動体発光部７０、及び大入賞口発光部６０を発光表示させるようにしている。これにより、可動体発光部７０による発光表示の延長線上に大入賞口発光部６０による発光表示がされることとなり、大入賞口１８０の位置を示唆することができる。このように、発光表示する可動役物と連動する発光表示によって大入賞口１８０の位置を示唆することにより、液晶表示装置２００などで特別遊技の開始を報知するのとは異なる演出態様で、特別遊技開始時の祝福感を盛り上げることができる。また、単なる発光表示演出のみで大入賞口１８０の位置を報知する場合よりも強烈な印象を与えることができる。
【００６４】
（変形例）
上述した実施の形態では、下可動体３０が、左ベース板１０Ｌと右ベース板１０Ｒの間で両持ち状態で支持されるものとなっていたが、上可動体２０又は下可動体３０のいずれか一方又は双方が、左ベース板１０Ｌ又は右ベース板１０Ｒのいずれか一方に、片持ち状態で支持される構造としてもよい。すなわち、上述の実施の形態では、左ベース板１０Ｌ又は右ベース板１０Ｒの双方が、２つの可動体を支持するための共通支持部として機能していたが、共通支持部は１つであってもよい。また、共通支持部材は、単一の部材でなく、複数の部材から構成されていてもよい。
【００６５】
また、上述した実施の形態では、上可動体２０の左側が左ベース板１０Ｌに軸止され、右側が上下に移動することにより、支持軸１１（軸止部）を中心に揺動する構造となっていたが、左ベース板１０Ｌの背面に上可動体昇降機構４０を設けて、上可動体２０の全体が上下に移動する構造にしてもよい。この場合、上可動体２０と下可動体３０の双方が上下に移動する構造としてもよいし、下可動体３０が左ベース板１０Ｌ又は右ベース板１０Ｒのいずれか一方に設けられた軸止部を中心に揺動する構造としてもよい。あるいは、上可動体２０と下可動体の双方が、左ベース板１０Ｌ又は右ベース板１０Ｒのいずれか一方に設けられた軸止部を中心に揺動する構造とし、軸止部が設けられていない方のベース板に、上可動体昇降機構４０と下可動体昇降機構５０を設けてもよい。
【００６６】
また、上述の実施の形態では、上可動体２０と下可動体３０を設けていたが、ベース部材１０として、上側に配置される上ベース板と、下側に配置される下ベース板とを設け、上下のベース板の間に、右側に位置する右可動体と左側に位置する左可動体とを設け、上下のベース板の少なくとも一方を共通支持部にしてもよい。この場合、左右の可動体の双方が左右方向に移動する構造としてもよいし、いずれか一方あるいは双方が、軸止部を中心に揺動する構造としてもよい。
さらに、ベース部材１０に支持される可動体は２つに限られない。例えば、上述の実施の形態において、左ベース板１０Ｌの背面に第３の可動体昇降機構を設け、第３の可動体を片持ち支持で取り付けることができる。あるいは、左ベース板１０Ｌの背面に軸止部を設け、第３の可動体を揺動可能に取り付けてもよい。要は、可動体を支持固定する支持体としてのベース部材１０が、複数の可動体を移動可能に支持する単一の部材からなる共通支持部を備えていればよい。
【００６７】
そして、大入賞口１８０の位置や、複数の可動体の取り付け構造に応じて、大入賞口発光部６０の設置位置や、可動体発光部７０を取り付ける可動体や可動体発光部７０の設置位置を設計し、可動体の作動と連動した大入賞口発光部６０及び可動体発光部７０による発光表示演出を行わせることができる。例えば、上述した実施の形態における下可動体３０の装飾板３１に、直線状に発光表示される可動体発光部７０を設け、下可動体３０が所定位置に上昇すると、あるいは、上昇した後に装飾板３１が所定角度回転すると、可動体発光部７０と大入賞口発光部６０とがほぼ一直線上に並ぶように形成することができる。要は、大入賞口発光部６０が、開閉羽根１８１の近傍であって、特定の移動位置（必ずしも最大可動位置でなくてもよい）に移動した可動体の可動体発光部７０による直線状の発光表示の略延長線上となる位置に配置されていればよい。
【００６８】
さらに、可動体発光部７０は、直線状の発光表示のみがされるものに限られず、例えば円弧や波線を描く発光表示がなされる部分を含んでいてもよい。例えば、上述した下可動体３０の装飾板３１に可動体発光部７０を設ける例において、可動体発光部７０を渦巻き状に配置するとともに、渦巻きの外側端部が直線状になるように配置し、下可動体３０を上昇移動させたり回転させることにより下可動体３０が特定の移動位置に移動すると、その直線部分と大入賞口発光部６０とがほぼ一直線状に並んだ位置となるように形成することができる。要は、可動体発光部７０は、可動体が特定位置に移動した場合に大入賞口１８０に向かって発光表示される部分を含んでいればよく、大入賞口１８０に向かって発光表示される部分は直線状でなくても、発光表示が大入賞口１８０の方向に向かっていることが判る形状であればよい。
【００６９】
なお、本発明は、大入賞口の内部に特定領域を備え当該特定領域を遊技球が通過することに伴って特別遊技が開始されるパチンコ機や、大入賞口が複数ある遊技機にも応用することができる。大入賞口を複数備える場合には、それぞれの大入賞口の近傍に大入賞口発光部を設けるとともに、可動体はそれぞれの大入賞口の位置に合わせて停止できるように複数の停止位置で停止可能に形成し、開閉する大入賞口に対応した停止位置で可動体を停止させ、可動体発光部及び大入賞口発光部の発光表示による一体的な演出を行うようにすることができる。
また、本発明は、開閉部材の開状態への変位によって開放される入賞口であれば、大入賞口以外の入賞口にも応用できる。例えば、上記した実施の形態の第２始動入賞口１６０が開放される場合の演出に応用することができる。
【符号の説明】
【００７０】
Ｐ  パチンコ機（遊技機）              １  演出役物装置
１０  ベース部材                    ２０  上可動体（可動体）
３０  下可動体                      ４０  上可動体昇降機構
５０  下可動体昇降機構              ６０  大入賞口発光部（入賞口発光部）
７０  可動体発光部
１１０  遊技盤                      １８０  大入賞口（入賞口）
１８１  開閉羽根（開閉部材）
【図１】
0006702682.tif 000002
【図２】
0006702682.tif 000003
【図３】
0006702682.tif 000004
【図４】
0006702682.tif 000005
【図５】
0006702682.tif 000006
【図６】
0006702682.tif 000007
【図７】
0006702682.tif 000008
【図８】
0006702682.tif 000009
【図９】
0006702682.tif 000010
【図１０】
0006702682.tif 000011